(57)【要約】【課題】製作に要する手間と時間を従来よりも大幅に軽減し、被掲示物を交換するときにおいてはこれをスピーディーに行うことができると共に裏板の押さえを確実に行うことができ、加えてパネル本体の表面側から保持枠の基部端面が透けて見えることによる安っぽい印象を払拭することができるようにする。【解決手段】合成樹脂又はガラスで製作される透明なパネル本体１の裏面に、該パネル本体１と同材料からなる方形の保持枠２を接着剤をもって固定する。保持枠２の内面に凹部３を形成する一方、該凹部３にばね材からなる輪状の裏板押さえ４を撓めて嵌め込む。パネル本体１の表面に、保持枠２の形状に合わせた、保持枠２の基部端面を隠すための飾り枠８を取り付ける。【選択図】図３ 
0003108574.tif 000002
【実用新案登録請求の範囲】
【請求項１】
合成樹脂又はガラスで製作される透明なパネル本体の裏面に、保持枠を設け、該保持枠内において前記パネル本体と裏板との間に絵画等のシート状又は板状の被掲示物を挟み込むようになした掲示用パネルにおいて、前記保持枠を合成樹脂又はガラスによって成形すると共に該保持枠をパネル本体に接着剤をもって固定し、該保持枠の内面における高さ方向の中央部に凹部を形成する一方、該凹部にばね材からなる輪状の裏板押さえを撓めて嵌め込み、更に前記パネル本体の表面に、保持枠の形状に合わせた、保持枠の基部端面を隠すための飾り枠を取り付けたことを特徴とする掲示用パネル。
【考案の詳細な説明】
【技術分野】
【０００１】
本考案は絵画等のシート状又は板状の被掲示物を掲示するための掲示用パネルに関するものである。
【背景技術】
【０００２】
絵画や組み上がった状態のジグソーパズル等のシート状又は板状の被掲示物を掲示するための掲示用パネルにおいて、従来、合成樹脂又はガラスをもって製作される透明なパネル本体を用い、その裏面に方形の保持枠を設けて、該保持枠内において前記パネル本体と裏板との間に被掲示物を挟み込むようになしたものがある。
【０００３】
しかし、斯かる従来の掲示用パネルには、次の如き問題点がある。先ず、第１の問題点は、保持枠のパネル本体への固定一体化手段としてネジ止め手段によって行っていることによるものであり、具体的には、パネル本体の表面側から差し込んだネジをもって保持枠を該パネル本体の裏面に固定一体化するものである。この場合にあっては、パネル本体の複数の所定箇所に穿孔する作業と、該孔から差し込んだネジを保持枠にネジ込む作業とが必要であり、販売コストの割に製作に手間と時間がかかり過ぎるという問題点がある。また、ネジの頭部がパネル本体の表面に直接見えることから、見栄えが悪く、安っぽい印象を与えるという問題点もある。
【０００４】
また、第２の問題点は、裏板の押さえ構造の点にあり、従来にあっては、保持枠の四方の箇所に、該保持枠の内外方向へ回動自在に押さえ片を軸支し、該押さえ片をもって裏板が保持枠から外れないように押さえる構造である。
【０００５】
しかし、この場合にあっては、被掲示物を交換するときにおいて、一々四方の押さえ片を、一つ宛裏板が外せる方向に、また押さえる方向に回さなければならず、スピーディーに行うことができないという問題点がある。また、押さえ片は回動自在に軸支されているだけであるから、軽いショックでも簡単に回って向きが変わることがあり、裏板の押さえという点において不安定である。そして、特に被掲示物が組み上がった状態のジグソーパズルである場合には、裏板が外れると全体が崩れてしまう虞があり、安定した確実な押さえが望まれる。
【０００６】
また、第３の問題点は、パネル本体の表面側から保持枠の基部端面が透けて見えることであり、これにより見栄えが悪く、安っぽい印象を与えるという問題点である。
【考案の開示】
【考案が解決しようとする課題】
【０００７】
本考案は上記の点に鑑みなされたものであって、製作に要する手間と時間を従来よりも大幅に軽減することができ、また被掲示物を交換するときにおいてはこれをスピーディーに行うことができると共に裏板の押さえを確実に行うことができ、加えてパネル本体の表面側から保持枠の基部端面が透けて見えないようにして、従来の如き安っぽい印象を払拭することができるようになした掲示用パネルを提供せんとするものである。
【課題を解決するための手段】
【０００８】
而して、本考案の要旨とするところは、合成樹脂又はガラスで製作される透明なパネル本体の裏面に、保持枠を設け、該保持枠内において前記パネル本体と裏板との間に絵画等のシート状又は板状の被掲示物を挟み込むようになした掲示用パネルにおいて、前記保持枠を合成樹脂又はガラスによって成形すると共に該保持枠をパネル本体に接着剤をもって固定し、該保持枠の内面における高さ方向の中央部に凹部を形成する一方、該凹部にばね材からなる輪状の裏板押さえを撓めて嵌め込み、更に前記パネル本体の表面に、保持枠の形状に合わせた、保持枠の基部端面を隠すための飾り枠を取り付けたことを特徴とする掲示用パネルにある。
【考案の効果】
【０００９】
本考案は上記の如き構成であり、保持枠を合成樹脂又はガラスによって成形すると共に該保持枠をパネル本体に接着剤をもって固定一体化するようになしたものであるから、製作する段階において従来の如きパネル本体への穿孔作業やネジのネジ込み作業が不要であり、製作に要する手間と時間を大幅に軽減することができるものである。尚、パネル本体と保持枠は共に合成樹脂又はガラス製であるから、液状の接着剤を用いることにより両者の接合面の全体にわたって接着剤を満遍なく塗布する必要がなく、適当な間隔をおいて所々に塗布すれば、両者を合わせたときに合わせ目全体に広がるものであり、接着作業は簡単、迅速に行うことができるものである。また、従来においてネジがパネル本体の表面に見えることによる見栄えの悪さも解消することができるものである。
【００１０】
また、裏板の押さえ構造において、保持枠の内面における高さ方向の中央部に凹部を形成する一方、該凹部にばね材からなる輪状の裏板押さえを撓めて嵌め込むようになしたものであるから、被掲示物を交換するときにおいて、従来の如く押さえ片を一つ宛回す手間が省け、スピーディーに行うことができるものである。また、輪状の裏板押さえは撓められた状態で凹部に嵌め込まれているから、復元弾性力によって凹部内に強く食い込むことになり、凹部から外れることがない。したがって、裏板を確実に押さえることができるものである。
【００１１】
また、パネル本体の表面に、保持枠の形状に合わせた、保持枠の基部端面を隠すための飾り枠を取り付けたことにより、パネル本体の表面側から保持枠の基部端面が透けて見えることによる見栄えの悪さを解消することができると共に、飾り枠の断面形状や色彩を適宜工夫することにより美感を高め、商品価値を高めることができるものである。
【考案を実施するための最良の形態】
【００１２】
本考案を実施するための最良の形態は、保持枠を合成樹脂又はガラスによって成形すると共に該保持枠をパネル本体に接着剤をもって固定し、該保持枠の内面における高さ方向の中央部に凹部を形成する一方、該凹部にばね材からなる輪状の裏板押さえを撓めて嵌め込むようになし、更に前記パネル本体の表面に、保持枠の形状に合わせた、保持枠の基部端面を隠すための飾り枠を取り付けることにある。
【実施例】
【００１３】
以下、本考案の実施例について図面を参照しつつ説明する。
図１は本考案の実施例に係る掲示用パネルの正面図、図２は裏板及び被掲示物を省略して示した斜視図、図３は図１中Ａ部分の拡大断面図である。
【００１４】
図中、１は合成樹脂又はガラスで製作される透明なパネル本体である。２は前記パネル本体１と同様の合成樹脂又はガラスによって成形される方形の保持枠であり、前記パネル本体１の裏面に接着剤をもって固定される。また、接着剤として液状の接着剤を用いれば、パネル本体１と保持枠２とは共に合成樹脂又はガラス製であるから、両者の接合面の全体にわたって接着剤を満遍なく塗布する必要がなく、適当な間隔をおいて所々に塗布すれば、毛細管現象により接着剤が引き込まれ、両者を合わせたときに合わせ目全体に広がるものである。よって接着作業を簡単、迅速に行うことができるものである。
【００１５】
また、前記保持枠２の内面における高さ方向の中央部に凹部３を設ける一方、該凹部３にばね材からなる輪状の裏板押さえ４を撓めて嵌め込むようになし、これをもって裏板の押さえ構造となしている。また、５は前記保持枠２の適所に設けた吊り紐（図示せず。）の挿通孔である。
【００１６】
６は前記保持枠２内に嵌め込む裏板である。７は前記保持枠２内において前記パネル本体１と裏板６との間に挟み込む、絵画や組み上がった状態のジグソーパズル等のシート状又は板状の被掲示物である。
【００１７】
８は前記パネル本体１の表面に取り付けた、保持枠２の形状に合わせた、保持枠２の基部端面を隠すための飾り枠である。また、該飾り枠８は、前記パネル本体１及び保持枠２と同様に合成樹脂又はガラスによって成形されており、したがって、液状の接着剤を用いれば簡単、迅速に接着することができるものである。
【図面の簡単な説明】
【００１８】
【図１】本考案の実施例に係る掲示用パネルの正面図である。
【図２】裏板及び被掲示物を省略して示した斜視図である。
【図３】図１中Ａ部分の拡大断面図である。
【符号の説明】
【００１９】
１  パネル本体
２  保持枠
３  凹部
４  輪状の裏板押さえ
５  吊り紐の挿通孔
６  裏板
７  被掲示物
【図１】
0003108574.tif 000003
【図２】
0003108574.tif 000004
【図３】
0003108574.tif 000005